(57)【要約】【課題】  紙葉類処理装置において、挿入された紙葉類を一次保留し、その挿入された紙葉類を排出しようとする際に、誤った紙葉類を排出させない。【解決手段】  本発明は、紙葉類を搬送する搬送路と、挿入紙葉類を取り込む紙葉類挿入部と、排出対象の紙葉類を排出する紙葉類排出部と、収納対象の収納紙葉類及び挿入紙葉類を一時的に保留する紙葉類収納部とを備える紙葉類処理装置において、一時的に紙葉類収納部に保留された挿入紙葉類を排出しようとする際に紙葉類収納部から繰出された紙葉類が挿入紙葉類であるか否かを判定し、挿入紙葉類だけを排出する手段、又は、紙葉類収納部内でステージ上に集積された収納紙葉類と収納壁との間に挿入紙葉類が入り込むことを防ぐ手段を有することを特徴とする。【選択図】      図１
2011129043.tif 000002
【特許請求の範囲】
【請求項１】
当該紙葉類処理装置内で、紙葉類を搬送する搬送路と、
操作者から挿入された挿入紙葉類を取り込んで、上記搬送路上に繰出す紙葉類挿入部と、
上記搬送路上を搬送されている排出対象の紙葉類を上記操作者に排出する紙葉類排出部と、
収納対象の収納紙葉類の収納、及び、操作者から挿入された挿入紙葉類の一時的収納を行う紙葉類収納部とを備える紙葉類処理装置において、
上記紙葉類収納部は、
１枚以上の紙葉類を集積し、上下動するステージと、
上記ステージの上方に配置されているローラであって、当該紙葉類収納部において、上記ステージ上に集積された紙葉類を上記搬送路上に繰出す紙葉類繰出時に、上記ステージが上昇して接触した紙葉類を、当該紙葉類収納部内で搬送するピックアップローラと、
一対のローラであって、当該紙葉類収納部において、上記搬送路上を搬送されている上記挿入紙葉類を収納する紙葉類収納時には、上記挿入紙葉類を挟みこんで取り込み、上記ステージに集積された収納紙葉類の上に載せ、紙葉類繰出時には、上記ピックアップローラにより搬送されてきた紙葉類を上記搬送路上に繰出す搬出入ローラと、
上記ステージが上下動する軌道に沿って配置された１又は複数の収納壁と、
上記ステージ上に集積された収納紙葉類の端と、上記搬出入ローラから当該紙葉類収納部に上記挿入紙葉類が進入する方向の前方側にある上記収納壁との間の隙間を軽減する隙間軽減部とを有する
ことを特徴とする紙葉類処理装置。
【請求項２】
上記隙間軽減部は、
上記隙間に配置された板であって、下端が上記ステージの上面に固定されたステージ補助板と、
上記ステージの上面と並行になるように配置されており、一端が上記ステージ補助板に固定されている１又は複数の仕切板とを有する
ことを特徴とする請求項１に記載の紙葉類処理装置。
【請求項３】
上記隙間軽減部は、
上記隙間を埋める紙葉類ストッパと、
紙葉類収納時にのみ、上記紙葉類ストッパを、上記隙間の位置に移動させる駆動機構とを有する
ことを特徴とする請求項１に記載の紙葉類処理装置。
【請求項４】
当該紙葉類処理装置内で、紙葉類を搬送する搬送路と、
操作者から挿入された挿入紙葉類を取り込んで、上記搬送路上に繰出す紙葉類挿入部と、
上記搬送路上を搬送されている排出対象の紙葉類を上記操作者に排出する紙葉類排出部と、
収納対象の収納紙葉類の収納、及び、操作者から挿入された挿入紙葉類の一時的収納を行う紙葉類収納部とを備える紙葉類処理装置において、
上記紙葉類収納部は、
１枚以上の紙葉類を集積し、上下動するステージと、
上記ステージの上方に配置されているローラであって、当該紙葉類収納部において、上記ステージ上に集積された紙葉類を上記搬送路上に繰出す紙葉類繰出時に、上記ステージが上昇して接触した紙葉類を、当該紙葉類収納部内で搬送するピックアップローラと、
一対のローラであって、当該紙葉類収納部において、上記搬送路上を搬送されている上記挿入紙葉類を収納する紙葉類収納時には、上記挿入紙葉類を挟みこんで取り込み、上記ステージに集積された収納紙葉類の上に載せ、紙葉類繰出時には、上記ピックアップローラにより搬送されてきた紙葉類を上記搬送路上に繰出す搬出入ローラと、
上記ステージが上下動する軌道に沿って配置された１又は複数の収納壁と、
上記搬出入ローラから当該紙葉類収納部に上記挿入紙葉類が進入する方向の前方側にある上記収納壁の方向に、上記ステージ上に集積された収納紙葉類の端を押圧する押圧板と、
上記押圧板を、上記ステージ上に集積された収納紙葉類の端を押圧するように動作させる駆動機構と
を有することを特徴とする紙葉類処理装置。
【請求項５】
上記駆動機構は、電磁ソレノイドを用いて構成されていることを特徴とする請求項４に記載の紙葉類処理装置。
【請求項６】
上記駆動機構は、搬出入ローラを構成するいずれかのローラの回転動作を利用して、上記押圧板を動作させることを特徴とする請求項４に記載の紙葉類処理装置。
【請求項７】
上記搬出入ローラを構成する第１のローラは紙葉類繰出時及び紙葉類収納時ともに回転し、上記第１のローラに対向する第２のローラは、紙葉類収納時にのみ回転するように規制されており、
上記駆動機構は、上記第２のローラの回転動作を、上記押圧板が上記ステージ上に集積された収納紙葉類の端を押圧する動作に変換する変換機構を有する
ことを特徴とする請求項６に記載の紙葉類処理装置。
【請求項８】
上記搬出入ローラを構成する第１のローラは紙葉類繰出時及び紙葉類収納時ともに回転し、上記第１のローラに対向する第２のローラは、紙葉類収納時にのみ回転するように規制されており、
上記駆動機構は、
上記第１のローラの回転動作を、上記押圧板が上記ステージ上に集積された収納紙葉類の端を押圧する動作に変換する変換機構と、
上記変換機構を、紙葉類収納時にのみ動作するように切り替える切替機構とを有する
ことを特徴とする請求項６に記載の紙葉類処理装置。
【請求項９】
当該紙葉類処理装置内で、紙葉類を搬送する搬送路と、
操作者から挿入された挿入紙葉類を取り込んで、上記搬送路上に繰出す紙葉類挿入部と、
上記搬送路上を搬送されている排出対象の紙葉類を上記操作者に排出する紙葉類排出部と、
収納対象の収納紙葉類の収納、及び、操作者から挿入された挿入紙葉類の一時的収納を行う紙葉類収納部と、
当該紙葉類処理装置内で、処理対象となる紙葉類の磁気記録領域に記録された磁気データを読み込む磁気データ読取部と、
当該紙葉類処理装置の各部の動作を制御する制御部とを備える紙葉類処理装置において、
上記紙葉類収納部は、
１枚以上の紙葉類を集積し、上下動するステージと、
上記ステージの上方に配置されているローラであって、当該紙葉類収納部において、上記ステージ上に集積された紙葉類を上記搬送路上に繰出す紙葉類繰出時に、上記ステージが上昇して接触した紙葉類を、当該紙葉類収納部内で搬送するピックアップローラと、
一対のローラであって、当該紙葉類収納部において、上記搬送路上を搬送されている上記挿入紙葉類を収納する紙葉類収納時には、上記挿入紙葉類を挟みこんで取り込み、上記ステージに集積された収納紙葉類の上に載せ、紙葉類繰出時には、上記ピックアップローラにより搬送されてきた紙葉類を上記搬送路上に繰出す搬出入ローラと、
上記ステージが上下動する軌道に沿って配置された１又は複数の収納壁とを有し
上記制御部は、
上記挿入紙葉類を、上記紙葉類収納部に一時的に保留させたあと、上記紙葉類収納部から上記挿入紙葉類を上記搬送路に繰出させて、上記紙葉類排出部により排出させる際に、上記紙葉類収納部から上記搬送路に繰出させた繰出紙葉類に対して、上記磁気データ読取部により、磁気データの読取りを行わせ、その読取り結果に応じて上記繰出紙葉類が上記挿入紙葉類であるか否かを判定する判定手段と、
上記判定手段により、上記繰出紙葉類が上記挿入紙葉類であると判定された場合にのみ、上記繰出紙葉類を上記紙葉類排出部から排出させる制御を行う繰出紙葉類処理制御手段とを有する
ことを特徴とする紙葉類処理装置。
【請求項１０】
上記磁気データ読取部は、磁気データ読取ヘッドを複数備え、いずれかの上記磁気データ読取ヘッドは、上記判定手段により上記繰出紙葉類が上記挿入紙葉類であるか否かを判定する際にのみ用いられることを特徴とする請求項９に記載の紙葉類処理装置。
【発明の詳細な説明】
【技術分野】
【０００１】
本発明は、紙葉類処理装置に関し、例えば、鉄道の定期券等を処理する装置に適用し得る。
【背景技術】
【０００２】
従来の鉄道で使用される定期券や乗車券等の紙葉類を処理する紙葉類処理装置としては、特許文献１に記載されている発券装置がある。
【０００３】
ここでは、例として、新幹線の定期券を持った乗客に対して指定席券を発行する処理に、特許文献１に記載されている発券装置を適用した例について説明する。なお、当該発券装置には、印字および磁気記録が行われていない定期券の原券を収納するホッパ部（特許文献１における「ホッパ部２４」）が備えられており、新たな定期券を発券する場合には、上述のホッパ部に収納されている定期券の原券に印字及び磁気記録を行って、発券する。
【０００４】
当該発券装置では、インサータユニットに乗客から定期券が挿入されると、その定期券の磁気データが磁気リード部に読み込まれ、問題が無ければ（例えば、残り回数や残り期間が正当であれば）、上述のホッパ部に、挿入された定期券が一時的に保留される。
【０００５】
その後、乗客によるボタン操作等により指定席が確定すると、当該発券装置では、新たに指定席券が作成され（ロール紙に対して印字及び磁気データの付与を行って作成）、上述のホッパ部に保留された定期券とともにインサータユニットの排出口から排出される。その後乗客により排出口から指定席券と定期券が抜き取られる。
【先行技術文献】
【特許文献】
【０００６】
【特許文献１】特開２００４−３１８６８０号公報
【発明の概要】
【発明が解決しようとする課題】
【０００７】
特許文献１における上述のホッパ部のように、定期券の原券を収納するユニットでは、通常、多数の定期券の原券を載せるステージが設けられ、そのステージの軌道に沿って収納壁が配置されている。そして、ステージを上昇させて、一番上に配置している券を、ステージの上方に配置されているピックアップローラに接触させることより、装置内の搬送路へ繰り出す構造になっている。
【０００８】
そして、定期券を収納する収納壁と、定期券との間にステージが動作する際の負荷を低減するように隙間が設けられている。そのため、定期券が収納されているホッパ部に、乗客が挿入した定期券が一時保留のために送られた場合、上述の隙間に、挿入した定期券が入り込んでしまうおそれがある。
【０００９】
例えば、乗客が挿入した定期券にカール（曲がり）等の変形があると、上述の隙間に入り込みやすくなり、挿入した定期券が、定期券の原券の上に正確に集積されなくなる恐れがある。この場合、次に、当該発券装置において、挿入された定期券をホッパ部から繰り出す動作を行ったときに、ピックアップローラが接触するのは、挿入された定期券ではなく、定期券の原券となり、定期券の原券を繰り出してしまう恐れがある。
【００１０】
そのため、挿入された紙葉類を一次保留し、その挿入された紙葉類を排出しようとする際に、誤った紙葉類を排出させない紙葉類処理装置が望まれている。
【課題を解決するための手段】
【００１１】
第１の本発明の紙葉類処理装置は、当該紙葉類処理装置内で、紙葉類を搬送する搬送路と、操作者から挿入された挿入紙葉類を取り込んで、上記搬送路上に繰出す紙葉類挿入部と、上記搬送路上を搬送されている排出対象の紙葉類を上記操作者に排出する紙葉類排出部と、収納対象の収納紙葉類の収納、及び、操作者から挿入された挿入紙葉類の一時的収納を行う紙葉類収納部とを備える紙葉類処理装置において、（１）上記紙葉類収納部は、（１−１）１枚以上の紙葉類を集積し、上下動するステージと、（１−２）上記ステージの上方に配置されているローラであって、当該紙葉類収納部において、上記ステージ上に集積された紙葉類を上記搬送路上に繰出す紙葉類繰出時に、上記ステージが上昇して接触した紙葉類を、当該紙葉類収納部内で搬送するピックアップローラと、（１−３）一対のローラであって、当該紙葉類収納部において、上記搬送路上を搬送されている上記挿入紙葉類を収納する紙葉類収納時には、上記挿入紙葉類を挟みこんで取り込み、上記ステージに集積された収納紙葉類の上に載せ、紙葉類繰出時には、上記ピックアップローラにより搬送されてきた紙葉類を上記搬送路上に繰出す搬出入ローラと、（１−４）上記ステージが上下動する軌道に沿って配置された１又は複数の収納壁と、（１−５）上記ステージ上に集積された収納紙葉類の端と、上記搬出入ローラから当該紙葉類収納部に上記挿入紙葉類が進入する方向の前方側にある上記収納壁との間の隙間を軽減する隙間軽減部とを有することを特徴とする。
【００１２】
第２の本発明の紙葉類処理装置は、当該紙葉類処理装置内で、紙葉類を搬送する搬送路と、操作者から挿入された挿入紙葉類を取り込んで、上記搬送路上に繰出す紙葉類挿入部と、上記搬送路上を搬送されている排出対象の紙葉類を上記操作者に排出する紙葉類排出部と、収納対象の収納紙葉類の収納、及び、操作者から挿入された挿入紙葉類の一時的収納を行う紙葉類収納部とを備える紙葉類処理装置において、（１）上記紙葉類収納部は、（１−１）１枚以上の紙葉類を集積し、上下動するステージと、（１−２）上記ステージの上方に配置されているローラであって、当該紙葉類収納部において、上記ステージ上に集積された紙葉類を上記搬送路上に繰出す紙葉類繰出時に、上記ステージが上昇して接触した紙葉類を、当該紙葉類収納部内で搬送するピックアップローラと、（１−３）一対のローラであって、当該紙葉類収納部において、上記搬送路上を搬送されている上記挿入紙葉類を収納する紙葉類収納時には、上記挿入紙葉類を挟みこんで取り込み、上記ステージに集積された収納紙葉類の上に載せ、紙葉類繰出時には、上記ピックアップローラにより搬送されてきた紙葉類を上記搬送路上に繰出す搬出入ローラと、（１−４）上記ステージが上下動する軌道に沿って配置された１又は複数の収納壁と、（１−５）上記搬出入ローラから当該紙葉類収納部に上記挿入紙葉類が進入する方向の前方側にある上記収納壁の方向に、上記ステージ上に集積された収納紙葉類の端を押圧する押圧板と、（１−６）上記押圧板を、上記ステージ上に集積された収納紙葉類の端を押圧するように動作させる駆動機構とを有することを特徴とする。
【００１３】
第３の本発明の紙葉類処理装置は、当該紙葉類処理装置内で、紙葉類を搬送する搬送路と、操作者から挿入された挿入紙葉類を取り込んで、上記搬送路上に繰出す紙葉類挿入部と、上記搬送路上を搬送されている排出対象の紙葉類を上記操作者に排出する紙葉類排出部と、収納対象の収納紙葉類の収納、及び、操作者から挿入された挿入紙葉類の一時的収納を行う紙葉類収納部と、当該紙葉類処理装置内で、処理対象となる紙葉類の磁気記録領域に記録された磁気データを読み込む磁気データ読取部と、当該紙葉類処理装置の各部の動作を制御する制御部とを備える紙葉類処理装置において、（１）上記紙葉類収納部は、（１−１）１枚以上の紙葉類を集積し、上下動するステージと、（１−２）上記ステージの上方に配置されているローラであって、当該紙葉類収納部において、上記ステージ上に集積された紙葉類を上記搬送路上に繰出す紙葉類繰出時に、上記ステージが上昇して接触した紙葉類を、当該紙葉類収納部内で搬送するピックアップローラと、（１−３）一対のローラであって、当該紙葉類収納部において、上記搬送路上を搬送されている上記挿入紙葉類を収納する紙葉類収納時には、上記挿入紙葉類を挟みこんで取り込み、上記ステージに集積された収納紙葉類の上に載せ、紙葉類繰出時には、上記ピックアップローラにより搬送されてきた紙葉類を上記搬送路上に繰出す搬出入ローラと、（１−４）上記ステージが上下動する軌道に沿って配置された１又は複数の収納壁とを有し、（２）上記制御部は、（２−１）上記挿入紙葉類を、上記紙葉類収納部に一時的に保留させたあと、上記紙葉類収納部から上記挿入紙葉類を上記搬送路に繰出させて、上記紙葉類排出部により排出させる際に、上記紙葉類収納部から上記搬送路に繰出させた繰出紙葉類に対して、上記磁気データ読取部により、磁気データの読取りを行わせ、その読取り結果に応じて上記繰出紙葉類が上記挿入紙葉類であるか否かを判定する判定手段と、（２−２）上記判定手段により、上記繰出紙葉類が上記挿入紙葉類であると判定された場合にのみ、上記繰出紙葉類を上記紙葉類排出部から排出させる制御を行う繰出紙葉類処理制御手段とを有することを特徴とする。
【発明の効果】
【００１４】
本発明によれば、紙葉類処理装置において、挿入された紙葉類を一次保留し、その挿入された紙葉類を排出しようとする際に、誤った紙葉類を排出させない。
【図面の簡単な説明】
【００１５】
【図１】第１の実施形態に係る紙葉類処理装置の概略側面図である。
【図２】第１の実施形態に係るホッパ部の概略側面図である。
【図３】第１の実施形態に係るホッパ部において収納壁と収納券との間に挿入券が入り込んだ場合の概略側面図である。
【図４】第１の実施形態に係る紙葉類処理装置における、挿入券の処理について説明したフローチャートである。
【図５】第２の実施形態に係るホッパ部の概略側面図である。
【図６】第２の実施形態に係るホッパ部が券繰出時である場合の概略側面図である。
【図７】第３の実施形態に係るホッパ部の概略側面図である。
【図８】第３の実施形態に係るホッパ部が券繰出時である場合の概略側面図である。
【図９】第４の実施形態に係るホッパ部の概略側面図である。
【図１０】第４の実施形態に係るホッパ部において、券押圧板が収納券を押圧する場合の概略側面図である。
【図１１】第５の実施形態に係るホッパ部の概略側面図である。
【図１２】第５の実施形態に係るホッパ部が券繰出時である場合の概略側面図である。
【図１３】第６の実施形態に係るホッパ部の概略側面図である。
【図１４】第６の実施形態に係るホッパ部が券繰出時である場合の概略側面図である
【図１５】第７の実施形態に係るホッパ部の概略側面図である。
【図１６】第８の実施形態に係るホッパ部の概略側面図である。
【発明を実施するための形態】
【００１６】
（Ａ）第１の実施形態
以下、本発明による紙葉類処理装置の第１の実施形態を、図面を参照しながら詳述する。
【００１７】
（Ａ−１）第１の実施形態の構成
図１は、第１の実施形態の紙葉類処理装置１の概略側面図である。
【００１８】
紙葉類処理装置１は、図示しない自動券売機内に設けられており、普通乗車券や定期乗車券、指定席券等の券類を発行するものである。
【００１９】
紙葉類処理装置１には、ホッパ部１０、インサータユニット２０、搬送路３０、印字部４０、ロール紙５１、５２、磁気部６０が備えられている。
【００２０】
紙葉類処理装置１は、ハードウェア的には、既存の発券装置とほぼ同様のものを適用することができる。例えば、ホッパ部１０、インサータユニット２０、搬送路３０、印字部４０、ロール紙５１、５２、磁気部６０としては、上述した、特許文献１に記載のものを適用することができる。
【００２１】
図１では図示を省略しているが、紙葉類処理装置１には、各構成要素の動作を制御する制御部が備えられており、その制御部の処理が、特許文献１に記載の発券装置とは異なっている。紙葉類処理装置１に搭載された制御部の処理の詳細については後述する。
【００２２】
また、以下の説明においては、紙葉類処理装置１への券の挿入や、紙葉類処理装置１が排出した券を抜き取る等の操作を行う者を「操作者」と呼ぶものとする。
【００２３】
次に、紙葉類処理装置１の各構成要素の説明をする。
【００２４】
搬送路３０は、制御部の制御に応じて、紙葉類処理装置１内で処理対象となる券を搬送するものである。
【００２５】
インサータユニット２０は、操作者から挿入された券を取り込んだり、操作者に対して券を排出したりするものである。インサータユニット２０は、操作者から挿入された券を取り込んで、搬送路３０に送り、操作者に排出する券が搬送路３０から送られてくると、その券を操作者に排出する。
【００２６】
印字部４０は、制御部の制御に応じて、搬送路３０上を搬送されている券に印字するものである。
【００２７】
磁気部６０は、制御部の制御に応じて、搬送路３０上を搬送されている券の、磁気記録領域にデータを磁気記録したり、搬送路３０上を搬送されている券の磁気記録領域に書き込まれたデータ（以下、「磁気データ」という）を読み込んだりするものであり、券に磁気記録する磁気ライト部６１と、券の磁気データを読み込む磁気リード部６２とが備えられている。
【００２８】
ホッパ部１０は、印字および磁気記録が行われていない定期券の原券が収納されており、制御部の制御に応じて、搬送路３０上に定期券の原券を繰り出すものである。また、ホッパ部１０は、制御部の制御に応じて、操作者がインサータユニット２０に挿入した定期券を一時的に保留するために収納し、その後繰出す。
【００２９】
以下の説明においては、ホッパ部１０にもともと収納されている定期券の原券を収納券ＣＳと呼ぶものとする。また、操作者がインサータユニット２０に挿入し、一時的にホッパ部１０に保留される定期券を挿入券ＣＩと呼ぶものとする。また、この実施形態においては、収納券と挿入券は同じ形状、材質の定期券であるものとして説明する。
【００３０】
ホッパ部１０に収納される定期券の形状や材質は限定されないものであるが、この実施形態では、例として、既存の鉄道において定期券として用いられるＰＥＴ（Ｐｏｌｙｅｔｈｙｌｅｎｅ  Ｔｅｒｅｐｈｔｈａｌａｔｅ）等の材料を用いた、長方形の紙葉類であるものとして説明する。
【００３１】
図２は、ホッパ部１０の概略側面図である。
【００３２】
ホッパ部１０では、図示しない駆動源で上下方向に動作可能な、上面が長方形のホッパステージ１０４が配置されており、ホッパステージ１０４の上面には、１枚以上の収納券ＣＳが集積されている。
【００３３】
ホッパステージ１０４の軌道の周囲の各面には、それぞれ収納壁が配置されている。言い換えると、ホッパステージ１０４は、４つの収納壁により構成された四角筒の内側で、上下方向に動作する。図２において、ホッパステージ１０４の右側に収納壁１０５ａを配置し、左側に収納壁１０５ｂを配置するように図示しているが、手前側及び奥側の収納壁の記載を省略している。なお、ホッパ部１０において、収納壁は、ホッパステージ１０４の軌道の周囲の全ての面（４面）に設けて良いし、一部の面を券の落下を防ぐ棒形状等のものに置き換えても良い。
【００３４】
また、ホッパ部１０では、フィードローラ１０１、リバースローラ１０２、ピックアップローラ１０３により券の出し入れが行われる。
【００３５】
以下の説明では、各ローラの回転方向について、ホッパ部１０に券を収納する際の回転方向を「収納方向」と呼び、ホッパ部１０から券を繰出す際の回転方向を「繰出方向」と呼ぶものとする。
【００３６】
フィードローラ１０１とリバースローラ１０２は、図２に示すように対向するように配置されており、ホッパ部１０において、挿入券ＣＩや収納券ＣＳ等の券を挟みこんで出し入れするローラである。
【００３７】
ホッパ部１０では、搬送路３０から送られてきた券を収納する際には、搬送路３０から送られてきた券を、フィードローラ１０１とリバースローラ１０２との間で挟み込んで、収納方向に回転してホッパ部１０内に取り込み、一番上の収納券ＣＳの上に載せる。尚、ホッパ部１０では、券収納時には、ホッパステージ１０４の一番上に載せられた券と、ピックアップローラ１０３との距離が所定の距離に保たれるように、ホッパステージ１０４の位置が調節されている。
【００３８】
ホッパ部１０では、ホッパ部１０に収納された券を繰出すとき（以下、「券繰出時」という）には、ホッパステージ１０４上の一番上の券が、ピックアップローラ１０３に触れるまで、ホッパステージ１０４が上昇する。そして、ピックアップローラ１０３が繰出方向に回転して、フィードローラ１０１及びリバースローラ１０２の方向にホッパステージ１０４上の一番上の券を送り出す。そして、フィードローラ１０１は、繰出方向に回転し、ピックアップローラ１０３により送られてきた券を、リバースローラ１０２との間で挟み込んで搬送路３０上に繰出す。
【００３９】
なお、リバースローラ１０２は、収納方向にのみ回転可能であり、その逆の方向には回転しないようになされている。
【００４０】
図２に示すように、左側にフィードローラ１０１、右側にホッパステージ１０４となる位置から見た場合には、ピックアップローラ１０３の繰出方向の回転は時計回りとなる。また、この場合、フィードローラ１０１における繰出方向の回転は時計回りとなり、収納方向の回転は反時計回りとなる。さらに、この場合、リバースローラ１０２における収納方向の回転は時計回りとなる。
【００４１】
ホッパ部１０では、ホッパステージ１０４が上下動する際に、収納壁と収納券ＣＳの端との摩擦を軽減するために、隙間が生じるように収納壁の内壁の寸法は調節されている。このため、挿入券ＣＩをホッパ部１０に収納する際に、この隙間に挿入券ＣＩの一部又は全部が入り込んでしまう場合がある。
【００４２】
図３は、ホッパ部１０において挿入券ＣＩが、収納券ＣＳと収納壁１０５ａの間に入り込んだ場合のホッパ部１０の概略側面図である。
【００４３】
ホッパ部１０において挿入券ＣＩを収納するとき（以下、「券収納時」という）に、フィードローラ１０１とリバースローラ１０２との間で挿入券ＣＩを挟みこんで取り込むため、挿入券ＣＩは、フィードローラ１０１から見て奥側の収納壁１０５ａの方向に向かって進入してくることになる。このため、挿入券ＣＩは、収納券ＣＳの上に正しく集積されずに、図３に示すように、収納壁１０５ａと収納券ＣＳとの間に生じた隙間に一部又は全部が入り込む場合がある。
【００４４】
ホッパ部１０では、図３に示すように、挿入券ＣＩが、収納壁１０５ａと収納券ＣＳとの間に生じた隙間に落ちた状態で、次に、挿入券ＣＩを繰り出そうとした場合には、ホッパステージ１０４が上昇しても、ピックアップローラ１０３に接触するのは、挿入券ＣＩではなく、収納券ＣＳであるため、収納券ＣＳが搬送路３０上に繰り出され、インサータユニット２０から排出されてしまう。
【００４５】
紙葉類処理装置１では、制御部の制御により、ホッパ部１０に一時的に保留した挿入券ＣＩを排出しようとする際には、磁気部６０の磁気リード部６２により、ホッパ部１０から繰出された券の磁気データの読取りを試み、その読取り結果に応じて、その繰出された券が、正しい券（挿入券ＣＩ）であるか間違った券（収納券ＣＳ）であるかを判定する。
【００４６】
そして、紙葉類処理装置１の制御部では、ホッパ部１０から繰出された券が、正しい券（挿入券ＣＩ）であると判定された場合には、排出する等の通常の動作を行い、間違った券（収納券ＣＳ）であると判定された場合には、排出せずに、操作者や係員等に、図示しないアラーム通知手段によりアラームを通知するようにしても良い。図１においては、図示を省略しているが、紙葉類処理装置１に、例えば、音声出力するスピーカ、ランプ、ディスプレイ表示等のアラーム通知手段を別途備えるようにしても良い。アラーム通知後は、操作者や係員等により手動でホッパ部１０から挿入券ＣＩの抜き取り作業等が必要となる。
【００４７】
紙葉類処理装置１の制御部において、排出しようとする券が、挿入券ＣＩであるか否かを判定する方法としては、例えば、磁気データの読取り可否に応じて判定するようにしても良い。挿入券ＣＩは既に発行されている券なので何らかの磁気データが書き込まれているが、収納券ＣＳは上述の通り原券であるので、まだ何の磁気データも書き込まれていない。したがって、紙葉類処理装置１の制御部では、排出すようとする券の磁気データが読取れればその券は、挿入券ＣＩであり、読取れない場合は挿入券ＣＩでない（すなわち、収納券ＣＳである）と判定することができる。
【００４８】
紙葉類処理装置１の制御部において、排出しようとする券が、挿入券ＣＩであるか否かを判定する方法は、その他にも、収納する前に挿入券ＣＩの磁気データを読取っておいて排出するときに以前に読取った情報と比較したりする等、その他の処理方法により判定するようにしても良い。
【００４９】
（Ａ−２）第１の実施形態の動作
次に、以上のような構成を有する第１の実施形態の紙葉類処理装置における挿入券の収納及び排出の動作を説明する。
【００５０】
図４は、紙葉類処理装置１が挿入券の処理を行う際の、紙葉類処理装置１の制御部が行う処理について説明したフローチャートである。
【００５１】
まず、操作者からインサータユニット２０に挿入券ＣＩが挿入されると（Ｓ１０１）、紙葉類処理装置１の制御部の制御により、その挿入券ＣＩが、搬送路３０上を搬送され、ホッパ部１０に到達し、フィードローラ１０１及びリバースローラ１０２により、ホッパ部１０内に取り込まれ、一時的に収納される（Ｓ１０２）。
【００５２】
挿入券ＣＩの収納が完了すると、紙葉類処理装置１の制御部により、紙葉類処理装置１が搭載されている自動券売機の、図示しない制御部へ収納完了が通知され（Ｓ１０３）、その後、自動券売機の制御部から、紙葉類処理装置１の制御部に挿入券ＣＩの排出命令が通知されたものとする（Ｓ１０４）。
【００５３】
排出命令の通知があると、紙葉類処理装置１の制御部により、紙葉類処理装置１内の各構成要素が制御されて、ホッパ部１０に一時的に保留された挿入券ＣＩの排出動作が開始される。そして、ホッパステージ１０４が上昇し、ピックアップローラ１０３に触れた券が分離され、搬送路３０上に繰り出される（Ｓ１０５）。この場合、上述のステップＳ１０２の時点で、挿入券ＣＩが収納券ＣＳの上に正しく載せられた場合には、ステップＳ１０５で繰り出される券は、挿入券ＣＩとなる。一方、上述のステップＳ１０２の時点で、挿入券ＣＩが、収納壁１０５ａと収納券ＣＳの端との間の隙間に落ちた場合には、ステップＳ１０５で繰り出される券は、収納券ＣＳとなる。
【００５４】
次に、搬送路３０上に繰り出された券について、磁気リード部６２により磁気の読み取りが試みられ（Ｓ１０６）、紙葉類処理装置１の制御部により、挿入券ＣＩであるか否かの判定が行われる（Ｓ１０７）。
【００５５】
上述のステップＳ１０７において、繰り出された券が、挿入券ＣＩであると判定された場合には、その券は、インサータユニット２０まで搬送され排出される等、所定の通常時の処理が行われる（Ｓ１０８）。
【００５６】
一方、上述のステップＳ１０７において、繰り出された券が、挿入券ＣＩでない券（すなわち、収納券ＣＳである）と判定された場合には、券の排出を中止し、所定のアラーム通知手段により、操作者や係員等にアラームが通知されることになる（Ｓ１０９）。
【００５７】
（Ａ−３）第１の実施形態の効果
第１の実施形態によれば、以下のような効果を奏することができる。
【００５８】
紙葉類処理装置１では、制御部の制御により、ホッパ部１０に一時的に保留した挿入券ＣＩを排出しようとする際には、磁気部６０の磁気リード部６２により、ホッパ部１０から繰出された券の磁気データの読取りを試み、挿入券ＣＩと判定できた場合にのみ、その繰出された券を排出する。これにより、例えば、挿入券ＣＩが、誤ってホッパ部内に残留してもエラーを検出することができ、収納券ＣＳが排出されることはなく、信頼性の高い装置が期待できる。
【００５９】
（Ｂ）第２の実施形態
以下、本発明による紙葉類処理装置の第２の実施形態を、図面を参照しながら詳述する。
【００６０】
（Ｂ−１）第２の実施形態の構成及び動作
第２の実施形態の紙葉類処理装置１Ａの概略側面図も図１を用いて示すことができる。
【００６１】
第２の実施形態の紙葉類処理装置１Ａは、第１の実施形態のホッパ部１０がホッパ部１０Ａに置き換わっているだけであるため、その他の構成については説明を省略する。
【００６２】
図５は、ホッパ部１０Ａの概略側面図である。また、図６は、ホッパ部１０Ａにおいて、収納されている券の繰り出し時に、ステージ補助板１０６が上昇した場合の概略側面図である。
【００６３】
ホッパ部１０Ａでは、フィードローラ１０１から見て、ホッパステージ１０４の奥側に、四角形の板であるステージ補助板１０６が収納壁１０５ａと並行になるように配置されている。そして、ステージ補助板１０６の下端は、ホッパステージ１０４の上面に固定されている。
【００６４】
そして、ステージ補助板１０６には、２枚の四角形の仕切り板１０７ａ、１０７ｂが、ホッパステージ１０４の上面と並行になるように配置され、仕切り板１０７ａ、１０７ｂの一端は、ステージ補助板１０６に固定されている。図５では、仕切り板１０７の枚数は２枚であるものとして説明しているが、枚数は限定されないものである。
【００６５】
また、仕切り板１０７ａ、１０７ｂは、図６に示すようにホッパステージ１０４が上昇しても、ピックアップローラ１０３に触れない大きさや形状である必要がある。また、ステージ補助板１０６と収納壁１０５ａとの間は、ホッパステージ１０４が上下に動作する際に妨げにならない程度の隙間を設けることが望ましい。
【００６６】
ステージ補助板１０６、仕切り板１０７ａ、１０７ｂの材質は限定されないものであるが、例えば、プラスチック等の樹脂や金属等を用いることができる。
【００６７】
ホッパ部１０Ａでは、券収納時に、フィードローラ１０１とリバースローラ１０２に挿入券ＣＩが挟みこまれて進入してきた場合、収納券ＣＳとステージ補助板１０６との間の隙間に挿入券ＣＩの一部が入り込んでも、挿入券ＣＩの端が仕切り板１０７ａ、１０７ｂ、又はステージ補助板１０６のいずれかに当たり、それ以上入り込まない。そして、ホッパ部１０Ａでは、挿入券ＣＩの端が、仕切り板１０７ａ、１０７ｂ、又はホッパステージ１０４のいずれかに当たった状態でも、その後、券繰出時に、ホッパステージ１０４が上昇した際、挿入券ＣＩがピックアップローラ１０３に触れるように、仕切り板１０７ａ、１０７ｂの位置が調節されている。
【００６８】
ホッパステージ１０４の上面から仕切り板１０７ｂまでの上下方向の間隔、仕切り板１０７ｂから仕切り板１０７ａまでの上下方向の間隔、仕切り板１０７ａから一番上の収納券ＣＳまで（最大枚数まで収納券ＣＳが集積されている場合）の上下方向の間隔が、それぞれ所定の間隔以下となるように調節されていることが望ましい。例えば、仕切り板１０７ａと収納券ＣＳの端との間に、挿入券ＣＩの一部が入りこみ、挿入券ＣＩの端が仕切り板１０７に当たる状態になったとしても、その状態でホッパステージ１０４が上昇したときに、収納券ＣＳがピックアップローラ１０３に触れるように、上述の間隔が調節されていることが望ましい。例えば、挿入券ＣＩ、収納券ＣＳのそれぞれの長手方向の寸法が８５ｍｍであり、ピックアップローラ１０３が通常、収納券ＣＳ（挿入券ＣＩ）の中央付近に接触する場合には、上述の間隔はそれぞれ３０ｍｍ以下とすることが望ましい。
【００６９】
なお、図５、図６では、仕切り板１０７ａ、１０７ｂを用いているが、収納券ＣＳとステージ補助板１０６との間の隙間を埋めることができれば、他の形状のもの（例えば、１又は複数の棒形状のもの等）を適用するようにしても良い。
【００７０】
（Ｂ−２）第２の実施形態の効果
第２の実施形態によれば、以下のような効果を奏することができる。
【００７１】
ホッパステージ１０４にステージ補助板１０６、仕切り板１０７を設けたことにより、挿入券ＣＩが、収納券ＣＳとステージ補助板１０６の隙間に入り込んでも、挿入券ＣＩはピックアップローラ１０３に接触する状態になる。これにより、ホッパ部１０Ａでは、挿入券ＣＩを繰出そうとする際に、誤って収納券ＣＳが繰出されることを防ぎ、装置の信頼性を高めることができる。
【００７２】
（Ｃ）第３の実施形態
以下、本発明による紙葉類処理装置の第３の実施形態を、図面を参照しながら詳述する。
【００７３】
（Ｃ−１）第３の実施形態の構成及び動作
第３の実施形態の紙葉類処理装置１Ｂの概略側面図も図１を用いて示すことができる。
【００７４】
第３の実施形態の紙葉類処理装置１Ｂは、第１の実施形態のホッパ部１０がホッパ部１０Ｂに置き換わっているだけであるため、その他の構成については説明を省略する。
【００７５】
図７は、第３の実施形態のホッパ部１０Ｂの概略側面図である。
【００７６】
ホッパ部１０Ｂでは、券ストッパ機構１０８が備えられている点で、第１の実施形態のホッパ部１０と異なっている。その他の構成については、第１の実施形態と同様であるので説明を省略する。
【００７７】
券ストッパ機構１０８には、券収納時に収納壁１０５ａと収納券ＣＳとの間の隙間を埋めて、その隙間に落ちることを防ぐ四角形の板である券ストッパ１０８ａと、券ストッパ１０８ａを動作させるための駆動源としてソレノイド１０８ｂ、スプリング１０８ｃが備えられている。また、券ストッパ機構１０８には、ソレノイド１０８ｂ、スプリング１０８ｃの動作を、券ストッパ１０８ａに伝えるためのリンク１０８ｄ、１０８ｅが備えられている。
【００７８】
なお、収納壁１０５ａは、券ストッパ機構１０８の動作の妨げにならないように配置されているものとする。
【００７９】
券ストッパ１０８ａ、リンク１０８ｄ、１０８ｅの材質は限定されないものであるが、例えば、プラスチック等の樹脂や金属等を用いることができる。
【００８０】
券ストッパ１０８ａの形状は、上述のように四角形の板形状であっても良いが、券収納時に収納壁１０５ａと収納券ＣＳとの間の隙間を埋めて、その隙間に落ちることを防ぐことができれば、その形状は、三角形の板等限定されないものである。
【００８１】
券ストッパ機構１０８では、図示しない制御部の制御に応じて、ソレノイド１０８ｂが通電して駆動すると、券ストッパ１０８ａが収納券ＣＳの方向に動作し、収納券ＣＳとの間の隙間を埋める。一方、ソレノイド１０８ｂの通電が終了して駆動も終了すると、スプリング１０８ｃの収縮力により、券ストッパ１０８ａが収納券ＣＳから離れる方向に動作し、ホッパステージ１０４の上昇の妨げにならないようにする。
【００８２】
図７では、上述のような券ストッパ１０８ａの動作を、ソレノイド１０８ｂ及びスプリング１０８ｃを駆動源として実現するための構成例について示している。
【００８３】
ソレノイド１０８ｂとスプリング１０８ｃとの間は、リンク１０８ｄを介して連結されている。また、図７においては、図示を省略しているが、ソレノイド１０８ｂ及びスプリング１０８ｃの、リンク１０８ｄとは連結していない側の端は、紙葉類処理装置１Ｂ内のいずれかの部分に固定されている。
【００８４】
ソレノイド１０８ｂが、図示しない制御部の制御に基づいて通電し駆動すると、リンク１０８ｄは、フィードローラ１０１から見て奥側に引き寄せられ、ソレノイド１０８ｂが通電していない状態では、リンク１０８ｄはスプリング１０８ｃの収縮する力で、フィードローラ１０１から見て手前側に引き寄せられる。
【００８５】
そして、リンク１０８ｄと券ストッパ１０８ａとの間は、Ｌ字型のリンク１０８ｅを介して連結されている。リンク１０８ｅのそれぞれの端に、リンク１０８ｅ、券ストッパ１０８ａが回転自在に連結されている。また、リンク１０８ｅは、Ｌ字型の角の部分が回転軸１０８ｆを中心として回転する。図７においては、図示を省略しているが、回転軸１０８ｆは、紙葉類処理装置１Ｂ内のいずれかの部分に固定されている。すなわち、リンク１０８ｅは、回転軸１０８ｆを中心として、リンク１０８ｄの動作に応じた方向に回転する。
【００８６】
図８は、ホッパ部１０Ｂが、券繰出時（ホッパステージ１０４が上昇する前の状態）である場合の概略側面図である。
【００８７】
ソレノイド１０８ｂが通電して駆動すると、リンク１０８ｅは図７、図８における時計回りの方向に回転し、券ストッパ１０８ａは、収納券ＣＳの方向に動作する。一方、ソレノイド１０８ｂの通電が停止し駆動も終了すると、リンク１０８ｅは、図７、図８における反時計回りの方向に回転し、券ストッパ１０８ａは、収納券ＣＳから離れる方向に動作する。
【００８８】
ホッパ部１０Ｂでは、券収納時には、券ストッパ機構１０８におけるソレノイド１０８ｂを駆動し、券ストッパ１０８ａを収納券ＣＳの方向に動作させ、収納壁１０５ａと収納券ＣＳとの間の隙間を埋めて、挿入券ＣＩがその隙間に落ちることを防ぐ。
【００８９】
一方、券繰出し時にホッパ部１０Ｂでは、券ストッパ機構１０８におけるソレノイド１０８ｂは通電させずに、券ストッパ１０８ａを収納券ＣＳとは逆の方向に動作させた状態にし、ホッパステージ１０４の上昇の妨げにならないようにしている。
【００９０】
なお、第３の実施形態では、券ストッパ機構１０８において、ソレノイド１０８ｂ及びスプリング１０８ｃを、券ストッパ１０８ａを動作させる駆動源として利用しているが、ソレノイド１０８ｂだけを用いるようにしても良い。上記では、リンク１０８ｄ、１０８ｅを介して、券ストッパ１０８ａにソレノイド１０８ｂの駆動力を伝達しているが、ソレノイド１０８ｂに直接券ストッパ１０８ａを連結するようにしても良い。このように、券ストッパ機構１０８において、券ストッパ１０８ａを駆動させる機構は、図７の例に限定されないものである。
【００９１】
（Ｃ−２）第３の実施形態の効果
第３の実施形態によれば、以下のような効果を奏することができる。
【００９２】
ホッパ部１０Ｂ内にソレノイド１０８ｂにより動作する券ストッパ１０８ａを設けたことにより、挿入券ＣＩが、ホッパステージ１０４上に集積された収納券ＣＳと収納壁１０５ａの隙間に入り込まない。これにより、券繰出時にホッパステージ１０４が上昇しても、挿入券ＣＩはピックアップローラ１０３に接触する状態になり、誤って収納券ＣＳが繰出されることを防止し、装置の信頼性を向上させることができる。
【００９３】
（Ｄ）第４の実施形態
以下、本発明による紙葉類処理装置の第４の実施形態を、図面を参照しながら詳述する。
【００９４】
（Ｄ−１）第４の実施形態の構成及び動作
第４の実施形態の紙葉類処理装置１Ｃの概略側面図も図１を用いて示すことができる。
【００９５】
第４の実施形態の紙葉類処理装置１Ｃは、第１の実施形態のホッパ部１０がホッパ部１０Ｃに置き換わっているだけであるため、その他の構成については説明を省略する。
【００９６】
図９は、この実施形態のホッパ部１０Ｃの概略側面図である。
【００９７】
ホッパ部１０Ｃは、収納券ＣＳを収納壁１０５ｂ側から収納壁１０５ａの方向に押圧して、収納券ＣＳを収納壁１０５ａに突き当て、収納券ＣＳの端と、収納壁１０５ａとの間の隙間を無くす券押圧部１０９を備える点で、第１の実施形態のホッパ部１０と異なっている。その他の構成については、第１の実施形態と同様であるので説明を省略する。
【００９８】
券押圧部１０９は、収納券ＣＳを収納壁１０５ｂ側から収納壁１０５ａの方向に押圧する四角形の板である券押圧板１０９ａと、リバースローラ１０２の回転動作を利用して、券押圧部１１０を動作させる機構を備えている。
【００９９】
券押圧部１０９の材質は限定されないものであるが、例えば、プラスチック等の樹脂や金属等を用いることができる。券押圧板１０９ａの形状は、上述のように四角形の板形状であっても良いが、収納券ＣＳを押圧することができれば、その形状は、三角形の板等限定されないものである。
【０１００】
なお、収納壁１０５ｂは、券押圧部１０９の動作の妨げにならないように配置されているものとする。
【０１０１】
券押圧部１０９は、券押圧板１０９ａとリバースローラ１０２とを連結させるリンク部１０９ｂを有している。
【０１０２】
リバースローラ１０２には、リバースローラ１０２の回転軸からはずれた部分にリンクピン１０２ａが設けられており、リンクピン１０２ａを用いて、リバースローラ１０２と券押圧板１０９ａのリンク部１０９ｂは回転自在に連結されている。
【０１０３】
このように、リバースローラ１０２と券押圧部１０９（リンク部１０９ｂ）とが回転自在に連結されていることにより、リバースローラ１０２の回転に伴って、券押圧部１０９（券押圧板１０９ａ）を動作させる機構が構成されている。
【０１０４】
図１０は、ホッパ部１０Ｃにおいて、券押圧板１０９ａが収納券ＣＳを押圧する場合の概略側面図である。
【０１０５】
券押圧部１０９の券押圧板１０９ａが、リバースローラ１０２の回転に伴って、収納券ＣＳを押圧する方向への動作と、収納券ＣＳから離れる方向への動作との往復動作を繰り返すことにより、図１０に示すように収納券ＣＳは収納壁１０５ａ側に押されて、収納壁１０５ａに突き当てられ、券押圧板１０９ａにより押された収納券ＣＳの端と、収納壁１０５ａとの間の隙間が無くなる。
【０１０６】
券押圧板１０９ａは、上述の往復運動が発生した際に、少なくとも一番上に配置されている収納券ＣＳを押圧する位置や大きさを適用することが望ましい。
【０１０７】
上述の通り、リバースローラ１０２は、収納方向にのみ回転するため、券収納時に券押圧板１０９ａの上述の往復運動が発生し、券押圧板１０９ａにより押された収納券ＣＳの端と、収納壁１０５ａとの間の隙間が無くなるため、挿入券ＣＩが、収納券ＣＳの端と収納壁１０５ａとの間の隙間に落ちることを防ぐことになる。
【０１０８】
一方、券繰出時には、リバースローラ１０２は回転しないため、券押圧板１０９ａの往復運動は発生せず、ホッパステージ１０４の上昇の妨げにならない。
【０１０９】
なお、券押圧部１０９では、券押圧板１０９ａの姿勢を、垂直な状態に保つように、券押圧板１０９ａの下部分に重りを付けたり、券押圧部１０９全体の重心ができるだけ下になるように、券押圧板１０９ａの長さやリンクピン１０２ａと連結する位置を調節することが望ましい。
【０１１０】
（Ｄ−２）第４の実施形態の効果
第４の実施形態によれば、以下のような効果を奏することができる。
【０１１１】
ホッパ部１０Ｃでは、券押圧部１０９を備えることにより、券収納時に、収納券ＣＳを収納壁１０５ａに突き当て、収納券ＣＳの端と、収納壁１０５ａとの間の隙間を無くす。これにより、券繰出時にホッパステージ１０４が上昇しても、挿入券ＣＩはピックアップローラ１０３に接触する状態になり、誤って収納券ＣＳが繰出されることを防止し、装置の信頼性を向上させることができる。
【０１１２】
（Ｅ）第５の実施形態
以下、本発明による紙葉類処理装置の第５の実施形態を、図面を参照しながら詳述する。
【０１１３】
（Ｅ−１）第５の実施形態の構成及び動作
第５の実施形態の紙葉類処理装置１Ｄの概略側面図も図１を用いて示すことができる。
【０１１４】
第５の実施形態の紙葉類処理装置１Ｄは、第１の実施形態のホッパ部１０がホッパ部１０Ｄに置き換わっているだけであるため、その他の構成については説明を省略する。
【０１１５】
図１１は、この実施形態のホッパ部１０Ｄの概略側面図である。
【０１１６】
ホッパ部１０Ｄは、収納券ＣＳを収納壁１０５ｂ側から収納壁１０５ａの方向に押圧して、収納券ＣＳを収納壁１０５ａに突き当て、収納券ＣＳの端と、収納壁１０５ａとの間の隙間を無くす券押圧部１１０を備える点で、第１の実施形態のホッパ部１０と異なっている。その他の構成については、第１の実施形態と同様であるので説明を省略する。
【０１１７】
券押圧部１１０は、収納券ＣＳを収納壁１０５ｂ側から収納壁１０５ａの方向に押圧する四角形の板である券押圧板１１０ａを有している。また、ホッパ部１０Ｄでは、フィードローラ１０１の回転動作を利用して、券押圧部１１０（券押圧板１１０ａ）を動作させる機構を備えている。
【０１１８】
券押圧部１１０の材質は限定されないものであるが、例えば、プラスチック等の樹脂や金属等を用いることができる。券押圧板１１０ａの形状は、上述のように四角形の板形状であっても良いが、収納券ＣＳを押圧することができれば、その形状は、三角形の板等限定されないものである。
【０１１９】
券押圧部１１０（券押圧板１１０ａ）を動作させる機構には、３つのギヤ１１１、１１２、１１３、及びリンク１１４が用いられている。なお、ギヤ１１１、１１２、１１３は歯車であるが、図１１においては説明を簡易にするため、歯車の歯の図示を省略している。
【０１２０】
なお、収納壁１０５ｂは、券押圧部１１０の動作の妨げにならないように配置されているものとする。
【０１２１】
ギヤ１１１は、フィードローラ１０１と同じ回転軸で回転する歯車である。なお、図１１では、フィードローラ１０１の図示を省略している。
【０１２２】
ギヤ１１２は、ギヤ１１１と対向し、ギヤ１１１の歯と噛み合うように配置されており、ギヤ１１１とギヤ１１２の回転軸の間は、リンク１１４により連結されている。
【０１２３】
リンク１１４の一端は、ギヤ１１１と同じ回転軸に回転自在に連結されており、他方の端は、ギヤ１１２と同じ回転軸に回転自在に連結されている。すなわち、ギヤ１１２は、リンク１１４とギヤ１１１の歯によってのみ支持されており、ギヤ１１１の回転方向に応じて、ギヤ１１１の周りを移動する。
【０１２４】
ギヤ１１３は、移動するギヤ１１２と接触し歯が噛み合っている間、ギヤ１１２の回転に伴って回転する歯車である。ギヤ１１３には、回転軸からずれた位置に、券押圧部１１０と連結するためのリンクピン１１３ａが備えられている。また、図示は省略しているが、ギヤ１１３の回転軸は、紙葉類処理装置１Ｄ内のいずれかの部分に固定されているものとする。
【０１２５】
券押圧部１１０は、ギヤ１１３のリンクピン１１３ａと回転自在に連結するリンク部１１０ｂも有している。
【０１２６】
このように、ギヤ１１３と券押圧部１１０（リンク部１１０ｂ）とが回転自在に連結されていることにより、ギヤ１１３の回転に伴って、券押圧部１１０（券押圧板１１０ａ）が動作する。
【０１２７】
券押圧部１１０の券押圧板１１０ａは、ギヤ１１３の回転に伴って、挿入券ＣＩの方向への動作と、挿入券ＣＩから離れる方向への動作の往復運動を繰り返す。券押圧板１１０ａが、上述の往復運動することにより、収納券ＣＳは券押圧板１１０ａにより、収納壁１０５ａ側に押されて、収納壁１０５ａに突き当てられ、券押圧板１１０ａにより押された収納券ＣＳの端と、収納壁１０５ａとの間の隙間が無くなる。
【０１２８】
券押圧板１１０ａは、上述の往復運動が発生した際に、少なくとも一番上に配置されている収納券ＣＳを押圧する位置に配置することが望ましい。
【０１２９】
図１２は、ホッパ部１０Ｄが券繰出時（ホッパステージ１０４が上昇する前の状態）である場合の概略側面図である。
【０１３０】
ギヤ１１２は、ギヤ１１１がフィードローラ１０１の繰出方向（図１１、図１２では、時計回り）に回転する力により発生する回転モーメントと図示せぬ負荷機構とにより、図１２に示すようにギヤ１１１を中心としてギヤ１１３から離れる方向（図１１、図１２では、反時計回り）に動作する。また、ギヤ１１２は、ギヤ１１１がフィードローラ１０１の収納方向（図１１、図１２では、反時計回り）に回転すると、ギヤ１１１を中心としてギヤ１１３の方向（図１１、図１２では、反時計回り）に動作して、ギヤ１１２とギヤ１１３とは接触する。
【０１３１】
上述の通り、ギヤ１１３は、ホッパ部１０Ｄの券収納時にのみ、ギヤ１１２と接触して回転するため、挿入券ＣＩをホッパ部１０Ｃ内に取り込む際に、券押圧板１１０ａの往復運動が発生する。一方、券繰出時には、図１２に示すようにギヤ１１３はギヤ１１２と接触せず回転しないため、券押圧板１１０ａの往復運動は発生せず、ホッパステージ１０４の上昇の妨げにならない。
【０１３２】
このように、券押圧部１１０では、ギヤ１１２が、券収納時にのみギヤ１１１の回転動作をギヤ１１３に伝える切替機構として機能している。なお、上述のような切替機構としては、例えば、ギヤ１１２を電磁ソレノイドを用いて移動させる等、他の方法により実現するようにしても良い。
【０１３３】
なお、券押圧部１１０では、券押圧板１１０ａの姿勢を、垂直な状態に保つように、券押圧板１１０ａの下部分に重りを付けたり、券押圧部１１０全体の重心ができるだけ下になるように、券押圧板１１０ａの長さやリンクピン１１３ａと連結する位置を調節することが望ましい。
【０１３４】
（Ｅ−２）第５の実施形態の効果
第５実施形態によれば、以下のような効果を奏することができる。
【０１３５】
ホッパ部１０Ｄでは、券押圧部１１０を備えることにより、券収納時に、収納券ＣＳを収納壁１０５ａに突き当て、収納券ＣＳの端と、収納壁１０５ａとの間の隙間を無くす。これにより、券繰出時にホッパステージ１０４が上昇しても、挿入券ＣＩはピックアップローラ１０３に接触する状態になり、誤って収納券ＣＳが繰出されることを防止し、装置の信頼性を向上させることができる。
【０１３６】
（Ｆ）第６の実施形態
以下、本発明による紙葉類処理装置の第６の実施形態を、図面を参照しながら詳述する。
【０１３７】
（Ｆ−１）第６の実施形態の構成及び動作
第６の実施形態の紙葉類処理装置１Ｅの概略側面図も図１を用いて示すことができる。
【０１３８】
第６の実施形態の紙葉類処理装置１Ｅは、第１の実施形態のホッパ部１０がホッパ部１０Ｅに置き換わっているだけであるため、その他の構成については説明を省略する。
【０１３９】
図１３は、この実施形態のホッパ部１０Ｅの概略側面図である。
【０１４０】
ホッパ部１０Ｅでは、券押圧機構１１５が備えられている点で、第１の実施形態のホッパ部１０と異なっている。その他の構成については、第１の実施形態と同様であるので説明を省略する。
【０１４１】
券押圧機構１１５には、収納壁１０５ｂ側から収納券ＣＳの端の面を押圧する四角形の板である券押圧板１１５ａと、券押圧板１１５ａを動作させるための駆動源として、ソレノイド１１５ｂ、スプリング１１５ｃが備えられている。また、券押圧機構１１５には、ソレノイド１１５ｂ、スプリング１１５ｃの動作を、券押圧板１１５ａに伝えるためのリンク１１５ｄ、１１５ｅが備えられている。
【０１４２】
券押圧板１１５ａ、リンク１１５ｄ、１１５ｅの材質は限定されないものであるが、例えば、プラスチック等の樹脂や金属等を用いることができる。券押圧板１１５ａの形状は、上述のように四角形の板形状であっても良いが、収納券ＣＳを押圧することができれば、その形状は、三角形の板等限定されないものである。
【０１４３】
なお、収納壁１０５ｂは、券押圧機構１１５の動作の妨げにならないように配置されているものとする。
【０１４４】
券押圧機構１１５では、図示しない制御部の制御に応じて、ソレノイド１１５ｂが通電して駆動すると、券押圧板１１５ａが収納券ＣＳの方向に動作し、収納券ＣＳを押圧する。一方、ソレノイド１１５ｂの通電が終了して駆動も終了すると、スプリング１１５ｃの収縮力により、券押圧板１１５ａが収納券ＣＳから離れる方向に動作し、ホッパステージ１０４の上昇の妨げにならないようにする。
【０１４５】
なお、券押圧板１１５ａは、上述の往復運動が発生した際に、少なくとも一番上に配置されている収納券ＣＳを押圧する位置や大きさを適用することが望ましい。
【０１４６】
図１３では、上述のような券押圧板１１５ａの動作を、ソレノイド１１５ｂ及びスプリング１１５ｃを駆動源として実現するための構成例について示している。
【０１４７】
リンク１１５ｄの一端には、ソレノイド１１５ｂが連結されており、他方の端には、Ｌ字型のリンク１１５ｅの端が回転自在に連結されている。リンク１１５ｅの他方の端には、券押圧板１１５ａが連結されている。そして、リンク１１５ｅのＬ字型の角の部分には、スプリング１１５ｃの一端が固定されている。
【０１４８】
また、図１３においては、図示を省略しているが、ソレノイド１１５ｂ及びスプリング１１５ｃの、リンクとは連結していない側の端は、紙葉類処理装置１Ｅ内のいずれかの部分に固定されている。すなわち、リンク１１５ｅは、ソレノイド１１５ｂの動作に伴って回転し、その回転により券押圧板１１５ａを動作させる。
【０１４９】
ソレノイド１１５ｂが通電し駆動すると、リンク１１５ｄは、ソレノイド１１５ｂの側に引き寄せられ、Ｌ字型のリンク１１５ｅが図１３における時計回りに回転して、リンク１１５ｅに連結された券押圧板１１５ａは、収納券ＣＳの方向に動作し、収納券ＣＳを押圧する。
【０１５０】
一方、ソレノイド１１５ｂの通電が停止し駆動も終了すると、リンク１１５ｅは、スプリング１１５ｃの収縮力により引き寄せられ、Ｌ字型のリンク１１５ｅが図１３における反時計回りに回転して、リンク１１５ｅに連結された券押圧板１１５ａは、収納券ＣＳから離れた方向に動作する。
【０１５１】
ホッパ部１０Ｅでは、券収納時には、券押圧機構１１５におけるソレノイド１１５ｂを駆動し、券押圧板１１５ａを収納券ＣＳの方向に動作させ、収納券ＣＳを押圧する。
【０１５２】
図１４は、ホッパ部１０Ｅが券繰出時である場合（ホッパステージ１０４が上昇する前の状態）の概略側面図である。
【０１５３】
一方、券繰出し時にホッパ部１０Ｅでは、券押圧機構１１５におけるソレノイド１１５ｂは通電させずに、図１４に示すように券押圧板１１５ａを収納券ＣＳとは逆の方向に動作させた状態にし、ホッパステージ１０４の上昇の妨げにならないようにしている。
【０１５４】
なお、第６の実施形態では、券押圧機構１１５において、ソレノイド１１５ｂ及びスプリング１１５ｃを、券押圧板１１５ａを動作させる駆動源として利用しているが、ソレノイド１１５ｂだけを用いるようにしても良い。上記では、リンク１１５ｄ、１１５ｅを介して、券押圧板１１５ａにソレノイド１１５ｂの駆動力を伝達しているが、ソレノイド１１５ｂに券押圧板１１５ａを連結するようにしても良い。このように、券押圧機構１１５において、券押圧板１１５ａを駆動させる機構は、図１３の例に限定されないものである。
【０１５５】
（Ｆ−２）第６の実施形態の効果
第６の実施形態によれば、以下のような効果を奏することができる。
【０１５６】
ホッパ部１０Ｅにおいて、券押圧機構１１５を備えることにより、券収納時に、収納券ＣＳを収納壁１０５ａに突き当て、収納券ＣＳの端と、収納壁１０５ａとの間の隙間を無くす。これにより、券繰出時にホッパステージ１０４が上昇しても、挿入券ＣＩはピックアップローラ１０３に接触する状態になり、誤って収納券ＣＳが繰出されることを防止し、装置の信頼性を向上させることができる。
【０１５７】
（Ｇ）第７の実施形態
以下、本発明による紙葉類処理装置の第７の実施形態を、図面を参照しながら詳述する。
【０１５８】
第７の実施形態の紙葉類処理装置１Ｆの概略側面図も図１を用いて示すことができる。
【０１５９】
図１５は、この実施形態のホッパ部１０Ｆの概略側面図である。
【０１６０】
第７の実施形態の紙葉類処理装置１Ｆは、上述の第４の実施形態のホッパ部１０Ｃにおいて、券押圧部１０９が券押圧部１１６に置き換わっているだけであるため、その他の構成については説明を省略する。
【０１６１】
券押圧部１１６は、収納壁１０５ｂ側から収納券ＣＳの端の面を押圧する券押圧板１１６ａと、券押圧板１１６ａとリバースローラ１０２とを連結させるリンク部１１６ｂを有している。
【０１６２】
券押圧部１１６は、図示しないレールにより支持されており、上記レールにより、券押圧板１１６ａが、垂直の姿勢を保ったまま、図１５における左右方向にのみ動作する点で第４の実施形態の券押圧部１０９と異なっている。
【０１６３】
これにより、券押圧部１１６では、券押圧板１１６ａ等の姿勢を安定させ、確実に収納券ＣＳを押圧することができ、さらに、ホッパステージ１０４等の他の構成要素の動作を妨げることを防ぐことができる。
【０１６４】
また、リバースローラ１０２の回転に伴って、リンクピン１０２ａが、左右方向に動作すると共に、上下方向にも動作するが、券押圧部１１６では上記レールにより上下方向への動作が規制されている。リンク部１１６ｂでは、このリンクピン１０２ａの上下方向の動作を吸収するために、リンクピン１０２ａと連結するための孔として縦溝１１６ｃが備えられている点で第４の実施形態の券押圧部１０９と異なっている。
【０１６５】
これにより、リンクピン１０２ａの上下動はこの縦溝１１６ｃの範囲内で行われ、券押圧部１１６にはリンクピン１０２ａによる上下方向の力は制限され、スムーズに動作させることができる。
【０１６６】
（Ｈ）第８の実施形態
以下、本発明による紙葉類処理装置の第８の実施形態を、図面を参照しながら詳述する。
【０１６７】
第８の実施形態の紙葉類処理装置１Ｇの概略側面図も図１を用いて示すことができる。
【０１６８】
図１６は、この実施形態のホッパ部１０Ｇの概略側面図である。
【０１６９】
第８の実施形態の紙葉類処理装置１Ｇは、上述の第５の実施形態のホッパ部１０Ｄにおいて、券押圧部１１０が券押圧部１１７に置き換わっているだけであるため、その他の構成については説明を省略する。
【０１７０】
券押圧部１１７は、収納壁１０５ｂ側から収納券ＣＳの端の面を押圧する券押圧板１１７ａと、券押圧板１１７ａとギヤ１１３とを連結させるリンク部１１７ｂを有している。
【０１７１】
券押圧部１１７は、図示しないレールにより支持されており、上記レールにより、券押圧板１１７ａが、垂直の姿勢を保ったまま、左右方向にのみ動作する点で第５の実施形態の券押圧部１１０と異なっている。
【０１７２】
これにより、券押圧部１１７では、券押圧板１１７ａ等の姿勢を安定させ、確実に収納券ＣＳを押圧することができ、さらに、ホッパステージ１０４等の他の構成要素の動作を妨げることを防ぐことができる。
【０１７３】
また、ギヤ１１３の回転に伴って、リンクピン１１３ａが左右方向に動作すると共に、上下方向にも動作するが、券押圧部１１７では上記レールにより上下方向への動作が規制されている。リンク部１１７ｂでは、このリンクピン１１３ａの上下方向の動作を吸収するために、リンクピン１１３ａと連結するための孔として縦溝１１７ｃが備えられている点で第５の実施形態の券押圧部１１０と異なっている。
【０１７４】
これにより、リンクピン１１３ａの上下動はこの縦溝１１７ｃの範囲内で行われ、券押圧部１１７にはリンクピン１１３ａによる上下方向の力は制限され、スムーズに動作させることができる。
【０１７５】
（Ｉ）他の実施形態
本発明は、上記の各実施形態に限定されるものではなく、以下に例示するような変形実施形態も挙げることができる。
【０１７６】
（Ｉ−１）上記の各実施形態において、本発明の紙葉類処理装置は、上述の通り自動券売機内に設けられているものであるため、処理対象となる紙葉類は、乗車券や定期券、指定席券等の券であるものとして説明しているが、その他の紙葉類の処理に適用するようにしても良い。例えば、紙幣、カード類、小切手等の有価証券が挙げられる。
【０１７７】
例えば、自動券売機以外の自動取引装置に本発明の紙葉類処理装置を適用した場合には、ホッパ部に予め収納している収納紙葉類と、操作者が挿入した挿入紙葉類を一時的にホッパ部に収納する処理があった場合、確実に挿入紙葉類と収納紙葉類とを区別して排出すことができる。
【０１７８】
（Ｉ−２）第１の実施形態では、紙葉類処理装置１に挿入券ＣＩが挿入された場合と、排出しようとする場合で、同じ磁気部６０（磁気リード部６２）を用いているが、挿入券ＣＩを排出しようとする際にのみ用いる別の磁気リード部（磁気リードヘッド）を設けるようにしても良い。例えば、図１において、搬送路３０上のホッパ部１０の出口付近に別の磁気リード部を設けるようにしても良い。
【０１７９】
これにより、例えば、紙葉類処理装置で、挿入券ＣＩと共に、新たにロール紙から切り取った券に印字、磁気記録等を施してから排出しようとする場合（例えば、挿入された定期券と指定席券を排出しようとする場合）に、挿入券ＣＩの処理や搬送路３０上の運搬と、新たに発行する券の処理や搬送路３０上の運搬とを、並行して行うことができる。これにより、紙葉類処理装置１における処理速度を向上させることができる。
【０１８０】
また、図１のように、紙葉類処理装置１で、磁気リード部６２よりも磁気ライト部６１の方が、ホッパ部１０から見て搬送路３０上の手前にある場合に、磁気リード部６２で挿入券ＣＩであるか否かの判定を行った後、磁気ライト部６１による書込みも必要になると、搬送路３０による搬送方向を逆転させる処理が必要になる。しかしながら、上述のように、別の磁気リード部（磁気リードヘッド）を設けるようにすれば、搬送路３０による搬送方向の逆転は必要なくなるので、紙葉類処理装置１における処理速度を向上させることができる。
【０１８１】
（Ｉ−３）上記の各実施形態では、紙葉類処理装置において、制御部の制御により、ホッパ部に一時的に保留した挿入券ＣＩを排出しようとする際には、ホッパ部から繰出された券の磁気データの読取り結果に基づいて、挿入券ＣＩと判定できた場合にのみ、その繰出された券を排出しているが、上述の制御部の処理については、第２〜第８の実施形態では行わないようにしても良い。
【０１８２】
（Ｉ−４）第２の実施形態において、仕切り板１０７は、ステージ補助板１０６に固定されているものとして説明したが、例えば、図示しないレールや溝をステージ補助板１０６に設けて、仕切り板１０７がステージ補助板１０６上で、上下に移動可能な構造で連結するようにしても良い。
【０１８３】
これにより、ホッパステージ１０４上に、収納券ＣＳを補充する際に、仕切り板１０７の位置を補充作業者の所望の位置に移動させることができるので、補充作業にあたって仕切り板１０７が邪魔にならず、補充作業を容易にすることができる。
【０１８４】
（Ｉ−５）第２の実施形態において、仕切り板１０７の形状について、例えば、ホッパステージ１０４上に、収納券ＣＳを補充する際に、補充作業者が収納券ＣＳを補充する方向に向かって厚さが徐々に薄くなるテーパを設けるようにしても良い。例えば、図２に示すホッパ部１０において、手前の方向から収納券ＣＳを挿入して補充可能である場合には、仕切り板１０７に、手前の方向に向かって徐々に厚さが薄くなるテーパを設けるようにしても良い。
【０１８５】
これにより、補充作業者が収納券ＣＳを補充する際に、仕切り板１０７の間ごとではなく、一度にまとめて補充しようとする場合に、仕切り板１０７が邪魔にならず、補充作業を容易にすることができる。
【符号の説明】
【０１８６】
１…紙葉類処理装置、１０…ホッパ部、１０１…フィードローラ、１０２…リバースローラ、１０３…ピックアップローラ、１０４…ホッパステージ、１０５ａ、１０５ｂ…収納壁、２０…インサータユニット、３０…搬送路、４０…印字部、５１、５２…ロール紙、６０…磁気部、６１…磁気ライト部、６２…磁気リード部。
【図１】
2011129043.tif 000003
【図２】
2011129043.tif 000004
【図３】
2011129043.tif 000005
【図４】
2011129043.tif 000006
【図５】
2011129043.tif 000007
【図６】
2011129043.tif 000008
【図７】
2011129043.tif 000009
【図８】
2011129043.tif 000010
【図９】
2011129043.tif 000011
【図１０】
2011129043.tif 000012
【図１１】
2011129043.tif 000013
【図１２】
2011129043.tif 000014
【図１３】
2011129043.tif 000015
【図１４】
2011129043.tif 000016
【図１５】
2011129043.tif 000017
【図１６】
2011129043.tif 000018